(57)【要約】【課題】ＦＰＵ装置の保護カバーであって、雨水に対し撥水性を有し直射日光による熱の蓄積や機器本体への熱伝導を防ぐことができ、機器本体の放熱性を損なわないＦＰＵ用カバーを提供することを目的とする。【解決手段】前方にアンテナ８と後方に操作部７ｇとを備えるＦＰＵ装置の機器本体７の上面部、両側面部及び背面部を覆うＦＰＵ用カバー１０であり、ＦＰＵ用カバー１０が、上面部を覆う上面シート部１１と、上面シート部１１の両側方向に延在し両側面部を覆う第１及び第２側面シート部と、上面シート部１１の後方に設けられ、背面部を覆う背面カバー部１４とからなり、上面シート部１１の内側には機器本体７の上面部と上面シート部１１との間に空隙を形成する緩衝部材１８が設けられるとともに、上面シート部１１の内側には環状の張力部材１９が奥行き方向に一対設けられ、かつ第１及び第２側面シート部の内面には各々一個の張力部材１９が設けられる。【選択図】図１
2010267644.tif 000002
【特許請求の範囲】
【請求項１】
前方にアンテナと後方に操作部とを備えるＦＰＵ装置の機器本体の上面部、両側面部及び背面部を覆うＦＰＵ用カバーであって、
前記ＦＰＵ用カバーが、撥水加工した樹脂製シートからなり、前記上面部を覆う上面シート部と、該上面シート部の両側方向に延在し前記両側面部を覆う第１及び第２側面シート部と、該上面シート部の後方に設けられ、前記背面部を覆う背面カバー部とからなり、  該上面シート部の内側には前記機器本体の上面部と該上面シート部との間に空隙を形成する緩衝部材が設けられるとともに、前記上面シート部の内側には環状の張力部材が奥行き方向に一対設けられ、かつ前記第１及び第２側面シート部の内面には各々一個の張力部材が設けられることを特徴とするＦＰＵ用カバー。
【請求項２】
前記第１及び第２側面シート部が、前記機器本体の後方主要部を覆う側面保護部と該機器本体の前端部を覆うベルト部とからなり、該側面保護部と該ベルト部との下端縁部に、前記ＦＰＵ用カバーを前記機器本体に保持するためのマジックテープ（登録商標）を備える帯状部がそれぞれ設けられ、前記背面カバー部と前記第１及び第２側面シート部とを切り離し自在としたファスナーが設けられ、前記背面カバー部には前記機器本体の背面側の操作部を視認できる透明窓が設けられ、かつ、該背面カバー部を折り返して前記上面シート部に載置できる傾斜面部を有することを特徴とする請求項１に記載のＦＰＵ用カバー。
【発明の詳細な説明】
【技術分野】
【０００１】
本発明は、テレビ中継用のマイクロ波局外中継機器（以下、ＦＰＵ装置と称する）を覆って雨水や日除けとして用いるＦＰＵ用カバーに関する。
【背景技術】
【０００２】
テレビ撮影用カメラでは、図６（ａ），（ｂ）に示すように、カメラ本体を電磁波シールドカバーで覆ってカメラ本体内や外部からの電磁波を遮断している。同図を参照して説明すると、従来のシールドカバー１は、ナイロン生地に銀繊維を織り込んだシートを用い、開口部としてレンズフード被覆部２及びビューファインダー被覆部３及び裾部を有する。レンズフード被覆部２及びビューファインダー被覆部３の先端には各々ヒモ通し部が形成され、このヒモ通し部にヒモを通して絞れるようにしてある。シールドカバー１のビューファインダー部６側上部は、カメラ５のビューファインダー６が上下移動可能なようにゆとりをもたせている。シールドカバー１の裾部はマジックテープ（登録商標）４を有し、このシールドカバー１をカメラ５に保持できる。シールドカバー１には、アース部７を同じ材料で短冊状に縫いつけてあり、このアース部７はハトメを有し、このハトメ部分により、シールドカバー１が、カメラ５に備え付けられる移動用三脚に連結できるようにしてある（例えば、特許文献１参照）。
【先行技術文献】
【特許文献】
【０００３】
【特許文献１】特開平９−１７２２９３号公報
【発明の概要】
【発明が解決しようとする課題】
【０００４】
上記電磁波シールドカバーは、テレビ撮影用カメラを電磁波から保護して映像信号にノイズが混入するのを防止して良好な映像を得ることを主な目的とし、防水や日除けを行う場合にはこの電磁波シールドカバーの外面に防水性シートや日除け効果を有するシートを設けている。しかし、日除け効果を有するシートを電磁波シールドカバーに設けた場合、機器から発生する熱が蓄積されて好ましいものではないし、また、直射日光による熱が電磁波シールドカバーに蓄積されるおそれがあった。このように電磁波シールド以外の保護シートを複数使用すると、機器の放熱性や直射日光による熱の蓄積により機器に悪影響を与えるおそれがあった。一方、テレビ中継用に用いられるＦＰＵは、戸外で使用することを前提とした装置であって、雨水に対し強い構造でもあり、防水性としては雨水に対し撥水性を有するものでよく、直射日光による熱の蓄積や機器本体への熱伝導を防止できるものが望まれていた。
【０００５】
本発明は、上記課題に鑑みてなされたものであって、ＦＰＵ装置の保護カバーであって、雨水に対し撥水性を有し直射日光による熱の蓄積や機器本体への熱伝導を防ぐことができ、機器本体の放熱性を損なわないＦＰＵ用カバーを提供することを目的とする。
【課題を解決するための手段】
【０００６】
本発明は、上記課題を達成したものであり、請求項１の発明は、前方にアンテナと後方に操作部とを備えるＦＰＵ装置の機器本体の上面部、両側面部及び背面部を覆うＦＰＵ用カバーであって、
前記ＦＰＵ用カバーが、撥水加工した樹脂製シートからなり、前記上面部を覆う上面シート部と、該上面シート部の両側方向に延在し前記両側面部を覆う第１及び第２側面シート部と、該上面シート部の後方に設けられ、前記背面部を覆う背面カバー部とからなり、  該上面シート部の内側には前記機器本体の上面部と該上面シート部との間に空隙を形成する緩衝部材が設けられるとともに、前記上面シート部の内側には環状の張力部材が奥行き方向に一対設けられ、かつ前記第１及び第２側面シート部の内面には各々一個の張力部材が設けられることを特徴とするＦＰＵ用カバーである。
【０００７】
また、請求項２の発明は、前記第１及び第２側面シート部が、前記機器本体の後方主要部を覆う側面保護部と該機器本体の前端部を覆うベルト部とからなり、該側面保護部と該ベルト部との下端縁部に、前記ＦＰＵ用カバーを前記機器本体に保持するためのマジックテープを備える帯状部がそれぞれ設けられ、前記背面カバー部と前記第１及び第２側面シート部とを切り離し自在としたファスナーが設けられ、前記背面カバー部には前記機器本体の背面側の操作部を視認できる透明窓が設けられ、かつ、該背面カバー部を折り返して前記上面シート部に載置できる傾斜面部を有することを特徴とする請求項１に記載のＦＰＵ用カバーである。
【発明の効果】
【０００８】
請求項１の発明によれば、撥水加工した樹脂製シートからなり、ＦＰＵ用カバーの上面シート部と第１及び第２側面シート部とのそれぞれの内側に環状の張力部材が内蔵されて、上面シート部と両側面シート部はこの環状の張力部材により弛んだり撓むことなく張った状態に張設されており、かつ上面シート部の内面に緩衝部材を設けることで、上面シート部は緩衝部材で支持され、ＦＰＵ装置の機器本体の上面部と上面シート部との間に空隙が形成され、この空隙によって、上面シート部等に直射日光による熱が機器本体に直接伝導して機器本体へ悪影響を与えるのを軽減することができる利点がある。また、上面シート部と機器本体の上面部との空隙には、外気が流入して直射日光による熱が蓄積し難くなるし、直射日光からＦＰＵ装置を保護することができる。また、この空隙に外気が流入することによって、機器本体を外気で空冷し、機器本体自体の放熱性を損なうことがない利点がある。また、ＦＰＵ用カバーが撥水加工した樹脂製シートであり、上面シート部と第１及び第２側面シート部が張力部材で張設されているので、雨水が溜まったりするのを軽減することができるし、また、雨水を弾いてＦＰＵ装置を保護することができる利点がある。
【０００９】
また、請求項２の発明によれば、第１と第２側面シート部がＦＰＵ装置の機器本体の後方主要部を覆う側面保護部と機器本体の前端部を覆うベルト部とからなり、側面保護部とベルト部と間の切欠部からは機器本体の側面部が露出しており、機器自体の放熱性を損なうことがない。また、側面保護部とベルト部との下縁部には、マジックテープを備える帯状部が設けられ、この帯状部によりＦＰＵ用カバーを機器本体に保持することができる。また、背面カバー部に設けた透明窓を通して操作部が視認できるし、ＦＰＵ装置の操作時には、ファスナーを開けて第１及び第２側面シートから背面カバー部のみを切り離し、機器本体の背面側の操作部を露出させて操作することができる。また、操作部と背面カバー部との下方の空間を通して操作することも可能である。また、ファスナーを開けて背面カバー部を裏返すように上方に折り返して背面カバー部の傾斜面部を上面シート部の後端縁部に接触させ、背面カバー部を上面シート部に載置することができるので、操作部の操作がし易い利点がある。また、ＦＰＵ用カバーを使用しない場合には、ファスナーを開けて背面カバー部を内側に折り曲げてコンパクトに畳み込んで保管することができる利点がある。
【図面の簡単な説明】
【００１０】
【図１】本発明に係るＦＰＵ用カバーの一実施例の使用例を示す側面図である。
【図２】（ａ）は図１の使用例の上面図、（ｂ）はその側面図、（ｃ）はその背面図、（ｄ）はその前面図である。
【図３】本実施例の外観を示し、（ａ）は本実施例のＦＰＵ用カバーの一部切欠上面図、（ｂ）はその一部切欠側面図、（ｃ）はその一部切背面図である。
【図４】（ａ）は本実施例のＦＰＵ用カバーの上面図、（ｂ）はその背面図、（ｃ）はＦＰＵ用カバーの上面シート部の内面図、（ｄ）はＦＰＵ用カバーの側面図、（ｅ）はＦＰＵ用カバーの側面シート部の内面図である。
【図５】本実施例の折り畳み図であり、（ａ）はベルト部を折り畳み、上面シート部の前方部を折り曲げる過程を示す側面図、（ｂ）は背面シート部と上面シート部の前方部とを折り畳んだ側面図、（ｃ）は帯状部を折り畳む過程の側面図、（ｄ）はＦＰＵ用カバーの折り畳みが完了した上面図とその側面図である。
【図６】（ａ）は従来の電磁波シールドカバーの使用例を示す側面図、（ｂ）はその背面図である。
【発明を実施するための形態】
【００１１】
以下、本発明に係るＦＰＵ用カバーの一実施例について説明する。先ず、本実施例のＦＰＵ用カバーの使用例を示す図１，図２と本実施例の外観を示す図３とを参照し説明する。ＦＰＵ装置は三脚９に装着され、ＦＰＵ装置の機器本体７の前面部７ａにアンテナ８が設けられ、機器本体７の背面部７ｅに操作部７ｇが設けられている。ＦＰＵ用カバー１０は、機器本体７の前面部７ａ、側面部７ｃ，７ｄの一部、及び底面部７ｆを除き、機器本体７の上面部７ｂ、側面部７ｃ，７ｄ、及び背面部７ｅを覆う保護カバーである。
【００１２】
ＦＰＵ用カバー１０は、上面部７ｂを覆う上面シート部１１と、上面シート部１１の両側方向に延在し、側面部７ｃ，７ｄを覆う側面シート部１２，１３と、上面シート部１１の後方の背面部７ｅを覆う蓋状の背面カバー部１４とからなり、上面シート部１１は前方に庇状部１１ａを有する。また、側面シート部１２，１３には、折り畳みの際に妨げとなるシート部分を略Ｕ字状に切り欠いた切欠部を有し、この切欠部から機器本体７の側面部７ｃ，７ｄの一部が露出し、この露出部は外気による機器本体７自体の放熱にも有効である。
【００１３】
また、ＦＰＵ用カバー１０にはその両側面側にファスナー１５が設けられ、背面カバー部１４が側面シート部１２，１３から切り離し自在であり、一側方のファスナー１５は、その一方のファスナー片が側面シート部１２の端縁に縫製され、他側方のファスナー片が背面カバー部１４の一側端縁に縫製され、このファスナー１５の終端部が上面シート部１１の側縁部に至る。また、他側方のファスナー１５は、同様に、その一方のファスナー片が側面シート部１３の端縁に縫製され、他側方のファスナー片が背面カバー部１４の他側端縁に縫製され、ファスナー１５の終端部が上面シート部１１の側縁部に至る。
【００１４】
背面カバー部１４は、機器本体７の上面部７ｂを覆って背面部側に張り出す上面シート部１１の後端縁部に設けられ、その上部が傾斜面部１４ａであり、その底部が開口した蓋状であり、背面カバー部１４の背面側には機器本体７の操作部７ｇが視認できるように、ビニール等の透明樹脂シートによる透明窓１４ｂが設けられる。背面カバー部１４は、操作部７ｇを操作する際に両ファスナー１５を開けて、図１に示すように、背面カバー部１４を矢印Ａ方向に裏返して上面シート部１１側へと折り返し、背面カバー部１４の傾斜面部１４ａを上面シート部１１の後端縁部に接触させて載置することができる。
【００１５】
側面シート部１２は、上記Ｕ字状の切欠部を挟んで機器本体７の後方主要部を覆う側面保護部１２ａと機器本体７の前端部側のベルト部１２ｂとからなり、同様に、側面シート部１３は、切欠部を挟んで機器本体７の後方主要部を覆う側面保護部１３ａと機器本体７の前端部側のベルト部１３ｂとからなる。側面保護部１２ａ，１３ａとベルト部１２ｂ，１３ｂのそれぞれの下端縁部には、ＦＰＵ用カバー１０を機器本体７に保持するためのマジックテープ１６ａ，１７ａをそれぞれ設けた帯状部１６，１７が縫製される（図３（ｂ））。
【００１６】
また、ＦＰＵ用カバー１０には、図４（ａ）〜（ｅ）を参照し説明すると、上面シート部１１の内面側にポケット部１１ｂが設けられ、これらのポケット部１１ｂに緩衝部材１８が装着される。ポケット部１１ｂは、上面シート部１１の前後にそれぞれ二箇所設けられ、これらのポケット部１１ｂに緩衝部材１８が装着される。機器本体７の上面部７ｂと上面シート部１１との間には緩衝部材１８による空隙が形成される。また、緩衝部材１８は、例えば、発泡性樹脂等が用いられ、緩衝部材１８はポケット部１１ｂに装着される以外に接着或いは縫製等により固定してもよく、実施例に限定するものではない。
【００１７】
さらに、上面シート部１１と側面シート部１２，１３には、弛みや撓みが生じないように、それぞれの内面側に張力部材１９が内蔵されている。張力部材１９は、ナイロンチューブやナイロン製の軸状部材を環状とした弾性を有するスリーブ部材である。張力部材１９は、上面シート部１１の内面側の前端縁部、後端縁部、両側縁部、及び中央部に設けたポケット部１１ｃに、張力部材１９を挿通して装着され、張力部材１９が上面シート部１１内面にその奥行き方向に一対設けられている。上面シート部１１には、張力部材１９が二箇所設けられて弛みや撓みが生じないようにしている。また、側面シート部１２，１３の側面保護部１２ａ，１３ａの内面側にもポケット部１２ｃ，１３ｃがそれぞれ設けられ、これらのポケット部１２ｃ，１３ｃに張力部材１９を挿通し、側面保護部１２ａ，１３ａのそれぞれに一個の張力部材１９が張設され、側面シート部１２，１３が弛みや撓みが生じないようにしている。
【００１８】
上記のように、本実施例のＦＰＵ用カバー１０は、上面シート部１１に緩衝部材１８と張力部材１９とが内蔵され、かつ側面シート部１２，１３に張力部材１９が内蔵されることによって、張力部材１９が上面シート部１１及び側面シート部１２，１３を弛みや撓みが生じないように張設し、かつ緩衝部材１８を介在させることにより、機器本体７の上面部７ｂと上面シート部１１との間に空隙を形成している。この空隙には、ＦＰＵ用カバー１０に直射日光が当たったとしても、外気が常に流入して機器本体７を外気により空冷することができるし、機器本体７自体の放熱性を損なうことがない。
【００１９】
上記実施例では、ＦＰＵ用カバー１０の材質が紫外線吸収剤を練り込んだ樹脂製シートからなり、樹脂製シートの表面にはフッ素系樹脂加工による撥水加工或いは吸水防止加工を施したものである。例えば、この樹脂製シートはＰＥＴフィルムが用いられ、日光の反射効率の良い銀色でその厚さは２５〜１５０μｍのものが用いられる。なお、ＦＰＵ用カバー１０は、紫外線に強く、その表面に撥水加工或いは吸水防止加工が施された樹脂製シートであれば、この実施例に限定するものではない。
【００２０】
次に、本実施例の保管時の折り畳み例について図５を参照し説明する。先ず、同図（ａ）に示すように、両側のファスナー１５を開けてＦＰＵ用カバー１０の背面カバー部１４を内側に畳み込むとともに、ＦＰＵ用カバー１０のベルト部１２ｂ，１３ｂと帯状部１６とを内側に畳み込み、上側シート部１１の前方部分を矢印Ｃ方向に折り曲げて上側シート部１１の後方部分に合わせて、同図（ｂ）に示すように、畳み込む。続いて、側面保護部１２ａ，１３ａを内側に畳み込み、帯状部１６を同図（ｃ）に示すように、左右から畳み込み、マジックテープ１７ａで固定し、同図（ｄ）に示すように、板状形状に畳み込むことができる。このように保管時には、ＦＰＵ用カバー１０をコンパクトに畳み込んで略方形状とすることができる。
【産業上の利用可能性】
【００２１】
本発明の利用分野は、ＦＰＵ装置の機器本体における保護カバーであり、ＦＰＵ装置の機器本体を雨水や直射日光から保護し、直射日光による熱の蓄積や熱伝導を防止し、機器本体自体の放熱性を損なうことがないＦＰＵ用カバーとして利用することができる。
【符号の説明】
【００２２】
７  ＦＰＵ装置の機器本体
８  アンテナ
９  三脚
１０  ＦＰＵ用カバー
１１  上面シート部
１１ａ  庇状部
１１ｂ，１１ｃ，１２ｃ，１３ｃ  ポケット部
１２，１３  側面シート部
１２ａ，１３ａ  側面保護部
１２ｂ，１３ｂ  ベルト部
１４  背面カバー部
１４ａ  傾斜面部
１４ｂ  透明窓
１５  ファスナー
１６，１７  帯状部
１６ａ，１７ａ  マジックテープ
１８  緩衝部材
１９  張力部材
【図１】
2010267644.tif 000003
【図２】
2010267644.tif 000004
【図３】
2010267644.tif 000005
【図４】
2010267644.tif 000006
【図５】
2010267644.tif 000007
【図６】
2010267644.tif 000008